(57)【特許請求の範囲】
【請求項１】
表示部を有する第一筐体と操作部を有する第二筐体が開閉可能に構成され、閉状態において前記表示部を露出することが可能な携帯端末において、
前記両筐体の開動作を検出する検出手段と、
前記表示部の表示画面を制御する制御手段と、
前記表示部に表示中の項目を選択する選択手段と、を備え、
前記制御手段は、前記検出手段により両筐体の開動作が検出されると、前記表示部の表示画面を前記選択手段により選択されていた表示中の項目に基づく入力画面に変更する
ことを特徴とする携帯端末。
【請求項２】
前記操作部は、前記開動作で露出され、
前記制御手段は、前記検出手段により両筐体の開動作が検出されると、前記表示部の表示画面を前記操作部を使用して入力する前記入力画面に変更する
ことを特徴とする請求項１に記載の携帯端末。
【請求項３】
前記項目に対応する入力画面を記憶する記憶手段を備え、
前記制御手段は、前記表示画面を前記入力画面に変更する際、前記選択手段により選択されていた表示中の項目に基づき前記記憶手段に記憶されている前記入力画面に変更する
ことを特徴とする請求項１又は２に記載の携帯端末。
【請求項４】
前記制御手段は、受信メール、アドレス帳、スケジュール、メモのいずれかを表示しているときに、前記検出手段により両筐体の開動作が検出されると、前記表示部の表示画面を前記選択手段により選択されていた表示中の項目に基づく入力画面に変更することを特徴とする請求項１乃至３のいずれか1項に記載の携帯端末。
【請求項５】
表示部を有する第一筐体と操作部を有する第二筐体が開閉可能に構成され、閉状態において前記表示部を露出することが可能な携帯端末において、
前記両筐体の開動作を検出する検出手段と、
情報を閲覧する閲覧モードと入力を行う入力モードの切り替え制御を行う制御手段と、を備え、
前記制御手段は、前記検出手段により両筐体の開動作が検出されると、閲覧モードを入力モードに切り替える
ことを特徴とする携帯端末。
【請求項６】
前記閲覧モードは、メニュー項目、一覧表示、カレンダー表示、詳細表示、Ｗｅｂ表示のいずれかに関する情報を閲覧するモードである
ことを特徴とする請求項５に記載の携帯端末。
【請求項７】
前記制御手段は、前記入力モードへの切り替えにより、新規作成又は編集のための入力画面を表示する
ことを特徴とする請求項５又は６に記載の携帯端末。
【発明の詳細な説明】
【０００１】
【発明の属する技術分野】
本発明は携帯電話機やＰＤＡなどの携帯端末であって、特に表示部を有する第一筐体と文字入力を行う操作部を有する第二筐体が開閉可能に構成され、第一、第二筐体の閉状態において前記表示部を露出することが可能な携帯端末に関し、特に良好な操作性を提供するものである。
【０００２】
【従来の技術】
近年において携帯端末は電話機能の他にインターネット、電子メール、動画／静止画の表示、スケジュール管理等の高機能端末として利用されている。これら高機能の搭載に伴い携帯端末の表示部はカラー化、高解像度化し、大画面の表示部が設けられるようになってきた。
【０００３】
大画面の表示部を備え、且つ携帯性が損なわれないようにするため、携帯端末を代表する携帯電話機では、表示部が設けられた表示部筐体と、テンキーやファンクションキーなど文字入力及び操作用のキーが設けられた操作部筐体とをヒンジ部を中心にして折畳む構造とするものが最近では主流になっている。
【０００４】
しかしながら、こうした折畳型携帯電話機において、２つの筐体を折畳んだ状態（閉状態）では、表示部が折畳まれた２つの筐体の内側に隠れてしまい、そのため電子メール等の着信があった時は、２つの筐体を開き表示部を表に出す必要があった。
【０００５】
このような折畳型携帯電話機の問題点を解決するために、特開平２００２−１５８７５８号公報（特許文献１）では回転機構による携帯型電子機器により、表示部が設けられた表示部筐体と文字入力及び操作用のキーが設けられた操作部筐体とを重ね合わせた状態（閉状態）において、表示部が外部に露出している構造を開示している。また、特開平２００１−２９２２１３号公報（特許文献２）ではスライド機構による開閉型無線通信装置により、同様に２つの筐体を重ね合わせた状態（閉状態）において表示部が外部に露出する構造を開示している。
【０００６】
尚、ここで、スライド機構、回転機構、折畳み機構など携帯端末の構造に関わらず、表示部が設けられた表示部筐体と文字入力及び操作用のキーが設けられた操作部筐体とを重ね合わせた状態を「閉状態」、「閉状態」から少しでも開いた状態又は完全に両筐体が開いた状態を「開状態」と以下総称する。
【０００７】
【特許文献１】
特開平２００２−１５８７５８号公報
【特許文献２】
特開平２００１−２９２２１３号公報
【０００８】
【発明が解決しようとする課題】
ところで、閉状態において表示部が露出する携帯端末は従来の折畳型携帯電話機に比べ、閉状態のままで電子メールの閲覧や発着信履歴の確認などの表示ができるため、携帯端末を開状態にする状況は文字入力若しくは開状態による電話通話動作をする場合に限られてしまうと考えられる。
【０００９】
このため、例えばアドレス帳入力や電子メール作成など文字入力を行うために携帯端末を閉状態から開状態にしてテンキーなどの文字入力操作部を露出しても、開状態にした後（又は前）に階層化されたメニュー項目を操作して文字入力状態（新規作成／編集）に設定する必要があり、ユーザは開動作と共にメニュー設定操作を行わなければならないという問題がある。
【００１０】
本発明は、文字入力に必要な開動作に応じて入力画面に自動的に切り替えることにより（モード切り替えを含む）、不要な操作を省くとともに、使い勝手の良好な携帯端末を提供することを目的とする。
【００１１】
【課題を解決するための手段】
上記課題を解決するために請求項１記載の携帯端末は、表示部を有する第一筐体と操作部を有する第二筐体が開閉可能に構成され、閉状態において前記表示部を露出することが可能な携帯端末において、前記両筐体の開動作を検出する検出手段と、前記表示部の表示画面を制御する制御手段と、前記表示部に表示中の項目を選択する選択手段と、を備え、前記制御手段は、前記検出手段により両筐体の開動作が検出されると、前記表示部の表示画面を前記選択手段により選択されていた表示中の項目に基づく入力画面に変更することを特徴とする。
【００１２】
また、請求項２記載の携帯端末は、前記操作部が、前記開動作で露出され、前記制御手段が、前記検出手段により両筐体の開動作が検出されると、前記表示部の表示画面を前記操作部を使用して入力する前記入力画面に変更することを特徴とする。
【００１３】
また、請求項３記載の携帯端末は、前記項目に対応する入力画面を記憶する記憶手段を備え、前記制御手段が、前記表示画面を前記入力画面に変更する際、前記選択手段により選択されていた表示中の項目に基づき前記記憶手段に記憶されている前記入力画面に変更することを特徴とする。
【００１４】
また、請求項４記載の携帯端末は、前記制御手段が、受信メール、アドレス帳、スケジュール、メモのいずれかを表示しているときに、前記検出手段により両筐体の開動作が検出されると、前記表示部の表示画面を前記選択手段により選択されていた表示中の項目に基づく入力画面に変更することを特徴とする。
【００１５】
また、請求項５記載の携帯端末は、表示部を有する第一筐体と操作部を有する第二筐体が開閉可能に構成され、閉状態において前記表示部を露出することが可能な携帯端末において、前記両筐体の開動作を検出する検出手段と、情報を閲覧する閲覧モードと入力を行う入力モードの切り替え制御を行う制御手段と、を備え、前記制御手段は、前記検出手段により両筐体の開動作が検出されると、閲覧モードを入力モードに切り替えることを特徴とする。
【００１６】
また、請求項６記載の携帯端末は、前記閲覧モードは、メニュー項目、一覧表示、カレンダー表示、詳細表示、Ｗｅｂ表示のいずれかに関する情報を閲覧するモードであることを特徴とする。
また、請求項７記載の携帯端末は、前記制御手段は、前記入力モードへの切り替えにより、新規作成又は編集のための入力画面を表示することを特徴とする。
【００１７】
尚、検出手段が検出する両筐体の開動作とは、携帯端末が「閉状態」から「開状態」になる状態変化のための動作を検出するものであり、検出する開動作とは例えば「閉状態」から少しでも筐体を開ける動作でも、両筐体を完全に開けるまでの途中動作でも、両筐体を完全に開けたことを示す動作の終了でも良い。また、これら動作の検出にはスイッチ機構やセンサーなどにより筐体の動作を検出する。
【００１８】
尚、本発明の携帯端末としては、ＣＤＭＡ（Code Division Multiple Access）方式やＰＤＣ（Personal Digital Cellular）方式やＰＨＳ（Personal Handyphone System）方式になどに代表されるいわゆる携帯電話機のほか、ＰＤＡ（Personal Digital Assistant）と称される携帯情報端末も含むものとする。ここで、ＰＤＡの場合、通信手段を内蔵しているもののほか、外部から通信手段を接続するものであっても良い。
【００１９】
【発明の実施の形態】
以下、本発明の携帯端末の例として携帯電話機の一実施例に基づいて図を用いて説明する。尚、同一の構成を示す箇所は同一の符号を用いている。
図１は、本実施例における携帯電話機の主要部の構成を示すブロック図。図２は本実施例における携帯電話機の外観図を示し、図２（ａ）は携帯電話機の閉状態における正面を示す図、（ｂ）は携帯電話機の閉状態における側面を示す図、（ｃ）は携帯電話機の開状態における正面を示す図、（ｄ）は携帯電話機の開状態における裏面を示す図である。本実施例における携帯電話機はヒンジ部（図示せず）を軸にして表示部４を備えた第一筐体１２とテンキーやキーボードなど文字入力を行う操作部５ｃを備えた第二筐体１３とを回動させる構造である。
【００２０】
携帯電話機はアンテナ１、無線部２、制御部３、表示部４、操作部５、メモリ部６、開閉検出部７、スピーカ８、マイク９、カメラ部１０、発光部１１から構成されるとともに、表示部４を備えた第一筐体１２と、テンキーやキーボードなど文字入力を行う操作キー５ｃを備えた第二筐体１３の２つの筐体からなる。
【００２１】
無線部２（受信手段）は、アンテナ１を介して無線信号を受信し、受信した信号をデータに復調し制御部３に送信する。また、制御部３から受信したデータを変調しアンテナ１を介して無線信号を送信する。
【００２２】
制御部３（制御手段）は、無線部２から受信する着信信号又は操作部５からのキー入力に応じて、表示部４の表示内容を決定する。つまり、制御部３は着信信号を検出した場合には表示部４に発信者表示を行う。また操作部５の入力によりメニュープログラムや各種機能プログラム読み出し指示命令を検出すると、各状況に応じた表示を行う。尚、制御部３は開動作に伴い、画面切り替え、モード切り替え等の処理を制御する。
【００２３】
表示部４は、データやメニュー等を表示し、例えば液晶ディスプレイ（ＬＣＤ:
Liquid Crystal Display）からなる。表示部４は図２（ａ）に示すように閉状態においても図２（ｃ）に示すように開状態においても携帯電話機の外部（表面）に露出している。
【００２４】
操作部５（選択手段）には、図２に示すように、外部に露出する３方向レバーキー５ａ、サイドキー５ｂと、閉状態において外部に露出しないテンキーや方向キーなど文字入力に用いられる操作キー５ｃが含まれる。また、操作キー５ｃは例示したキーに限定されるものではなく、キーボードなどでも良い。尚、本発明が目的とする第二筐体の文字入力を行うための操作部は閉状態において外部に露出しない操作キー５ｃを示す。また、操作部５は表示部４に表示している項目を選択・決定操作する。
【００２５】
メモリ部６（記憶手段）は、ＲＯＭ、ＲＡＭ、ＥＥＰＲＯＭなどから構成され、例えば発着信履歴、メール、アドレス帳（電話帳）、動画像／静止画像、スケジュールなどの各種データ及び携帯電話機に必要なプログラムなどを格納している。また、以下に述べる項目（アドレス帳、メール、メモ帳、スケジュールなどの各種メニューやメニュー内におけるカーソルの選択状況）に対応する入力画面を記憶している。例えば、アドレス帳の登録データのメールアドレスを表示している時は「新規メール作成画面」、メールの受信履歴を表示している時は「返信メール作成画面」、スケジュールデータを表示している時は「スケジュール編集画面」、メモ帳の登録データを表示している時は「メモ帳編集画面」などが挙げられる。
【００２６】
開閉検出部７（検出手段）は、携帯電話機の開動作を検出する検出部であり、検出すると信号を制御部へ出力する。また、開閉検出部７は閉動作も検出し、この両動作検出により携帯電話機の「開状態」「閉状態」を検出することになる。尚、検出する開動作とは例えば「閉状態」から少しでも筐体を開ける動作でも、両筐体を完全に開けるまでの途中動作でも、両筐体を完全に開けたことを示す動作の終了でも良い。閉動作の検出は開動作の検出と同様に、例えば「開状態」から少しでも筐体を閉める動作でも、両筐体を完全に閉めるまでの途中動作でも、両筐体を完全に閉めたことを示す動作の終了でも良い。また、これら動作の検出にはスイッチ機構やセンサーなどにより筐体の動作を検出する。
【００２７】
スピーカ８は、図２に示すように、本実施例では閉状態で使用するスピーカ８ａと開状態で使用するスピーカ８ｂを含んでおり閉状態でも電話通話が可能である。
【００２８】
マイク９は、通話時や動画像撮影時にユーザや周囲の音声（音）を取り込む。
カメラ部１０は、撮像レンズ、撮像素子（ＣＣＤ：Charge-Coupled Device）、撮像回路等から構成され、被写体を撮像する。
発光部１１は、一般的にカメラ装置などで用いられているフラッシュを示し、夜間又は光量不足の場所で写真を写す時に人工的に瞬間的な強い光を出す。
【００２９】
次に、本発明の特徴である、開動作に基づいて表示部の表示画面が閲覧画面から文字などを入力する編集画面に移行する動作例について以下フローチャート及び画面遷移図を用いて詳細に説明する。
【００３０】
本発明の一実施例であるメール閲覧における動作例を、図３の動作フローチャートと図４に示す表示画面の遷移図を用いて詳細に説明する。
携帯電話機が閉状態において着信を待受けている時に（図４：（ａ））、メールの受信を制御部３が検出すると、制御部３は受信処理を行い表示部４に「新着Ｅメール１件」と表示する（図３：Ｓ３０１、Ｓ３０２、図４：（b））。この表示によりユーザが受信メールの存在に気付くと、ユーザは３方向レバーキー５ａなどを操作し受信メールの確認動作を行う。制御部３はこの操作に基づいて受信履歴の一覧を表示部４に表示する（図３：Ｓ３０３、Ｓ３０４、図４：（ｃ））。受信履歴の一覧は図４（ｃ）に示すように日付、送信者（From）、タイトル（Title）など簡略的な表示を行う。
【００３１】
次に、ユーザが閲覧中の受信メールから返信メールを作成する時は、返信したいメールに３方向レバーキー５ａを操作してカーソルを合わせ、この状態で携帯電話機を開状態にする。開閉検出部７は携帯電話機が開いたことを検出すると制御部３に信号を出力し、制御部３は開閉検出部７の信号を検出すると、表示部４の表示を受信履歴一覧画面（閲覧画面）から返信メール作成画面へと切り替えるとともに、閉状態でカーソルが選択されていたメールに基づいて返信用のメールを作成する（図３：Ｓ３０５〜Ｓ３０８、図４：（ｄ））。ここで「選択されていたメールに基づいて返信用のメールを作成する」とは、例えば、（ｉ）返信用メールの送信先の欄（To:）に送信相手のアドレスを自動的に入力したり、（ii）「返信」の意味をこめた「Ｒｅ：」を相手のタイトルの先頭に付けて返信用メールのタイトルの欄（Title:）に自動的に入力したり、（iii）相手の本文を引用する、ことなどを示す。
【００３２】
また、閲覧画面は上述した受信履歴表示に限定されるものではなく、例えば全文を表示している画面でも構わない。尚、その場合も同様に閲覧中のメールに基づいて返信用のメールが作成される（図３：Ｓ３０７〜Ｓ３１１、図４：（ｄ）、（ｅ））。
【００３３】
また、閲覧画面から切り替えられる返信メール作成画面は図４（ｆ）に示す返信メール作成画面の項目選択画面でも良い。
【００３４】
次に、本発明の一実施例であるアドレス帳の閲覧における動作例を、図５の動作フローチャートと図６に示す表示画面の遷移図を用いて詳細に説明する。
携帯電話機が閉状態において、ユーザは３方向レバーキー５ａなどを操作してメニュー項目からアドレス帳機能を選択・決定し、更にアドレス帳機能に登録されている複数の登録データから１つのデータを検索・決定する（図５：Ｓ５０１〜Ｓ５０５、図６：（ａ）〜（ｃ））。１つのデータが決定されるとそのデータの詳細が表示（名前、電話番号、メールアドレス、グループナンバー、位置情報など）される（図５：Ｓ５０６、図６：（d））。
【００３５】
次に、ユーザが詳細表示中（閲覧中）の相手に対して新規メールを作成する時は、送信したいメールアドレスに３方向レバーキー５ａを操作してカーソルを合わせ、この状態で携帯電話機を開状態にする。開閉検知部７は携帯電話機が開いたことを検出すると制御部３に信号を出力し、制御部３は開閉検出部７の信号を検出すると、表示部４の表示をアドレス帳詳細表示画面（閲覧画面）から新規メール作成画面へと切り替える。その際、閉状態でカーソルが選択されていたメールアドレスを送信先（To）の欄に自動的に入力する（図５：Ｓ５０７〜Ｓ５１０、図４：（ｄ）、（ｅ））。尚、閲覧画面は詳細表示画面に限定されるものではなく、検索中の画面（図４（ｃ））においてカーソルが選択されているときでも構わない。但し、このような場合、メールアドレスを複数登録しているデータであれば、その内の１つが自動的に入力されるか、ユーザに選択させるか、または入力されないなどの制御方法が挙げられる。
【００３６】
また、閲覧画面から切り替えられる新規メール作成画面は図６（ｆ）に示す新規メール作成画面の項目選択画面でも良い。
【００３７】
次に、本発明の一実施例であるスケジュールの閲覧における動作例を、図７の動作フローチャートと図８に示す表示画面の遷移図を用いて詳細に説明する。
携帯電話機が閉状態において、ユーザは３方向レバーキー５ａなどを操作してメニュー項目からスケジュール機能を選択・決定しカレンダーを表示する（図７：Ｓ７０１〜Ｓ７０４、図８：（ａ）〜（ｃ））。次に、カレンダー表示の中からスケジュールを入力したい日付にカーソルを合わせ決定すると、その日付に既に登録されていたスケジュールの一覧が表示され、更にその内の１つを選択・決定すると詳細（日時、場所、内容など）が表示される（図７：Ｓ７０５〜Ｓ７０８、図８：（ｃ）〜（ｅ））。
【００３８】
次に、登録されている登録データの内容の編集をする時は、編集したい項目に３方向レバーキー５ａを操作してカーソルを合わせ、この状態で携帯電話機を開状態にする。開閉検出部７は携帯電話機が開いたことを検出すると制御部３に信号を出力し、制御部３は開閉検出部７の信号を検出すると、表示部４の表示をスケジュール詳細表示画面（閲覧画面）からスケジュール編集画面（編集画面）へと切り替える（図７：Ｓ７０９〜Ｓ７１１、図８：（ｅ）〜（ｆ））。尚、閲覧画面は詳細表示画面に限定されるものではなく、カレンダーの表示画面において日付にカーソルが選択されているときでも構わない（図８（ｇ））。但し、このような場合、スケジュールが登録されている場合は編集画面（図８（ｅ）又は（ｆ））に移行し、スケジュールが登録されていない場合は、新規スケジュール作成画面（図８（ｈ））の項目選択画面が好ましい。
【００３９】
次に、本発明の一実施例であるメモ帳の閲覧における動作例を、図９の動作フローチャートと図１０に示す表示画面の遷移図を用いて詳細に説明する。
携帯電話機が閉状態において、ユーザは３方向レバーキー５ａなどを操作してメニュー項目からメモ帳機能を選択・決定しメモ帳一覧を表示する（図９：Ｓ９０１〜Ｓ９０４、図１０：（ａ）〜（ｃ））。次に、登録されている登録データの内容を編集したい場合は、一覧表示の中から編集したいタイトルにカーソルを合わせ、この状態で携帯電話機を開状態にする。開閉検出部７は携帯電話機が開いたことを検出すると制御部３に信号を出力し、制御部３は開閉検出部７の信号を検出すると、表示部４の表示をメモ帳一覧表示画面（閲覧画面）からメモ帳編集画面（編集画面）へと切り替える（図９：Ｓ９０５〜Ｓ９０７、図１０：（ｃ）〜（ｄ））。また、登録していたメモ帳の一覧が表示され、更にその内の１つを選択・決定すると内容が表示されるが、この状態において携帯電話機を開状態にすると、同様に、開閉検出部７は携帯電話機が開いたことを検出し、制御部３は表示部４の表示をメモ帳内容の表示画面（閲覧画面）からメモ帳編集画面（編集画面）へと切り替える（図９：Ｓ９０７〜Ｓ９１０）。
【００４０】
尚、「入力画面」は、「返信メール作成画面」、「新規メール作成画面」、「新規スケジュール作成画面」、「編集画面」、「パスワード入力画面」（図示せず）など入力項目を選択し、操作キー５ｃを使用して文字・記号・数字等の入力のための画面（図４（ｆ）、図６（ｆ）、図８（ｈ））を示すが、項目が既に選択され入力位置をカーソルで表示している状態の画面（図４（ｄ）、図６（ｅ）、図８（ｆ）、図１０（ｄ））であっても良い。
【００４１】
また、開動作により露出する操作部（操作キー５ｃ）の入力に対応する画面とは、操作キー５ｃの操作入力に対して文字等の入力やカーソルの移動を行うことができる画面である。例えば、図４（ｄ）、図６（ｅ）、図８（ｆ）、図１０（ｄ）に示す画面である。
【００４２】
尚、「閲覧モード」とはメニュー項目、一覧表示、カレンダー表示、詳細表示、Ｗｅｂ表示など情報を閲覧するモードを示し、特に閉状態での使用状態を示す。また、「入力モード」とは、新規作成、返信メール作成、編集などの文字・記号・数字等の入力を必要とするモードを示し、特に開状態での使用状態を示す。
【００４３】
尚、上述した発明の詳細な説明は一実施例であって、これに限定されるものではない。
【００４４】
【発明の効果】
本発明によれば、閉状態での閲覧中（閲覧モード）に必要に応じて文字入力を行う時には、携帯端末を開くだけで自動的に対応する入力画面（入力モード）へと切り替わるように制御したので、階層化されたメニュー項目を操作して、「編集モード」や「新規作成モード」へ設定する手間を省くことができる。
【００４５】
また、自動的に切り替わる画面も、開動作時に表示画面にて選択している項目に対応した入力画面へと切り替わるように制御したので、使用するユーザに使い勝手の良好な携帯端末を提供することができる。
【図面の簡単な説明】
【図１】  本実施例における携帯電話機の主要部の構成を示すブロック図
【図２】  本実施例における携帯電話機の外観図
【図３】  メール閲覧における動作フローチャート
【図４】  メール閲覧における表示画面の遷移図
【図５】  アドレス帳の閲覧における動作フローチャート
【図６】  アドレス帳の閲覧における表示画面の遷移図
【図７】  スケジュールの閲覧における動作フローチャート
【図８】  スケジュールの閲覧における表示画面の遷移図
【図９】  メモ帳の閲覧における動作フローチャート
【図１０】メモ帳の閲覧における表示画面の遷移図
【符号の説明】
１：アンテナ
２：無線部
３：制御部
４：表示部
５：操作部
６：メモリ部
７：開閉検出部
８：スピーカ
９：マイク
１０：カメラ部
１１：発光部
１２：第一筐体
１３：第二筐体
【図１】
0004070192.tif 000002
【図２】
0004070192.tif 000003
【図３】
0004070192.tif 000004
【図４】
0004070192.tif 000005
【図５】
0004070192.tif 000006
【図６】
0004070192.tif 000007
【図７】
0004070192.tif 000008
【図８】
0004070192.tif 000009
【図９】
0004070192.tif 000010
【図１０】
0004070192.tif 000011